(57)【要約】【課題】安全かつ容易に連結・撤去することができる吊り足場パネルの提供。【解決手段】水平方向に連結していく矩形の吊り足場パネルであって、吊り足場パネル同士を連結する部位となる対面する２つの連結部の一方に棒状又は管状の預け金具を設け、かつ、他方の連結部の両端部には、抜け止め金具を備えた爪形状の受け金具を直角に設け、さらに連結部と直角をなす２つの側部の受け金具側の端部にチェーン取り付け用吊り部材を設けてなることを特徴とする吊り足場パネル。【選択図】図２
2018204333.tif 000002
【特許請求の範囲】
【請求項１】
水平方向に連結していく矩形の吊り足場パネルであって、吊り足場パネル同士を連結する部位となる対面する２つの連結部の一方に棒状又は管状の預け金具を設け、かつ、他方の連結部の両端部には、抜け止め金具を備えた爪形状の受け金具を直角に設け、さらに連結部と直角をなす２つの側部の受け金具側の端部にチェーン取り付け用の吊り部材を設けてなることを特徴とする吊り足場パネル。
【請求項２】
受け金具は上記預け金具を受容することができるものであって、上方に開口を備える受け入れ部及び上方に庇を備える留め置き部を有し、開口から受け入れ部に受け入れた預け金具を留め置き部の庇の下に水平移動させた後に抜け止め金具を掛けることができることを特徴とする、請求項１に記載の吊り足場パネル。
【請求項３】
抜け止め金具は突起部を有していて、留め置き部の庇の先端近傍に設置されており、庇の先端近傍を回転軸として突起部を垂直方向に回動させることができ、かつ突起部が下方にあることによって突起部を固定することができることを特徴とする、請求項２に記載の吊り足場パネル。
【請求項４】
受け入れ部に受け入れた預け金具を留め置き部の庇の下に水平移動させることによって抜け止め金具を垂直方向に回動させ、そして、抜け止め金具の突起部が下方に来たときに突起部を固定することができることを特徴とする、請求項３に記載の吊り足場パネル。
【請求項５】
受け金具が長さ方向にスライド可能であることを特徴とする、請求項１から４までのいずれかに記載の吊り足場パネル。
【発明の詳細な説明】
【技術分野】
【０００１】
本発明は、道路などの橋桁の補修や点検作業などのための仮設足場を構築する吊り足場パネルに関する。
【背景技術】
【０００２】
一般に、橋や高速道路などの橋桁の補修や点検作業では、その下が川や車道であることが多いことから、地上から仮設足場を組み上げることができない。このため、橋桁に吊って設置する吊り足場からなる仮設足場を構築することが多い。
【０００３】
従来、この種の吊り足場としては、「単管足場方式」が知られている。これは、橋桁に吊りチェーンを橋桁の軸方向（車の進行方向）に所定間隔に垂設し、この吊りチェーンの間に親パイプを橋桁の軸方向に架け渡し、平行する親パイプの間に橋桁の軸直角方向に転がしパイプを所定間隔に複数本架け渡し、その後、これらの転がしパイプの上に足場板の複数本を橋桁の軸方向に平行に設置し、さらに足場板の下側と両側面に安全ネットを張ることによって、構成される。
【０００４】
しかしながら、単管足場方式による吊り足場は、単管、足場板、チェーンなどの部品を一つ一つ、クランプ等の連結金具で連結しながら設置していく必要があるため、その連結及び撤去作業がきわめて煩わしく、面倒だけでなく危険であった。
【０００５】
このため、概略矩形に形成された骨組に床材を固定し一体化してなるパネルを、橋桁の橋梁部から吊り下げたチェーンで吊りながら、縦横に連結して水平方向に足場面積を広げていく「パネル方式」が提案され実用化されてきている。
【０００６】
図１は、パネル方式による吊り足場からなる仮設足場の模式図である。(a)が橋桁の軸直角方向の断面図であり、(b)がそのＡ−Ａ矢視の平面図である。
【０００７】
この吊り足場パネルからなる仮設足場１は、橋桁２の下方に適宜間隔に設けられた、Ｉ形鋼からなる橋梁部３のフランジ３ａからチェーンクランプ４によってチェーン５を吊り下げ、そして、このチェーン５を橋桁の軸方向に、あるいは橋桁の軸方向および橋桁の軸直角方向の両方向に複数本設置し、併せて、矩形の吊り足場パネル６をチェーン位置７においてチェーン５で吊りながら、吊り足場パネル６を連結具によって連結して水平に構築される。
【０００８】
特許文献１には、吊り足場パネルを橋桁の軸方向に連結する際に吊り足場パネル同士を連結する部位となる２つの連結部６ｂと、これらとは直角をなす２つの側部６ａからなる矩形の枠組の上面に作業又は歩行するための床材が張られてなる吊り足場パネルが開示されている。ここでは、２つの連結部の側面の一方に突出する連結具を設け、そして、他方の側面には孔を備えた連結受け具を設けてなる吊り足場パネルが提案されている。吊り足場パネルの側部は丸パイプで形成されており、側部同士は通常の固定クランプで係り止めすることができる。
【０００９】
設置済みの吊り足場パネルに、この吊り足場パネルを橋桁の軸方向に連結するためには、作業員が設置済みの吊り足場パネルの上に跪いて、橋桁の橋梁部から吊り下げたチェーンで水平に吊り下げられた連結しようとする吊り足場パネルを引き寄せた上で、設置済みの吊り足場パネルの連結部の側面に突出する連結具に、連結しようとする吊り足場パネルの連結部の側面の連結受け具の孔を外挿した後、ピン止めすることで、吊り足場パネルの連結部同士の連結がなされる。これで、吊り足場パネルは水平方向に連結される。橋桁の軸直角方向の緊結は、吊り足場パネルの側部同士を通常の固定クランプで係り止めすることでなされる。
【００１０】
次に、特許文献２には、同様に、吊り足場パネルを橋桁の軸方向に連結する際に吊り足場パネル同士を連結する部位となる２つの連結部と、これらとは直角をなす２つの側部からなる矩形の枠組の上面に作業又は歩行するための床材が張られてなる吊り足場パネルが開示されている。ここでは、２つの連結部の一方には真上に開口するフックと吊りチェーンの下端部を連結する吊り輪環を設け、そして、他方にはこのフックと回転自在に係合し得る係合軸を設けてなる吊り足場パネルが開示されている。さらに、一方の連結部には、フックと係合軸を係合して吊り足場パネル同士を連結した後の切り欠き部を塞ぐための連結板が回転自在に設けられている。側部には側部内に収納可能なクリップが取り付けられている。
【００１１】
設置済みの吊り足場パネルに、この吊り足場パネルを橋桁の軸方向に連結するためには、作業員が設置済みの吊り足場パネルの上に立って、橋桁の橋梁部から吊り下げたチェーンを、設置済みの吊り足場パネルの上に用意された連結しようとする吊り足場パネルの吊り輪環に取り付け、そして、設置済みの吊り足場パネルの連結部の係合軸に、連結しようとする連結部のフックを係合した後、連結板で切り欠き部を塞ぐことで、吊り足場パネルの連結部同士の連結がなされる。そして、連結部の係合軸回りに連結した吊り足場パネルを水平レベルまで回動させ、保持することで、水平方向への連結がなされる。橋桁の軸直角方向の緊結は、吊り足場パネルの側部に取り付けられたクリップで対峙する吊り足場パネルの側部を係り止めすることでなされる。
【先行技術文献】
【特許文献】
【００１２】
【特許文献１】特公平７−１０３６７９号公報
【特許文献２】特許第３０１７４６３号公報
【発明の概要】
【発明が解決しようとする課題】
【００１３】
これらの吊り足場パネルを連結・撤去する作業をする際には、この吊り足場パネルには以下に示す問題点がある。
【００１４】
特許文献１に記載の吊り足場パネルは、吊り足場パネルの連結作業の際、設置済みの吊り足場パネルの上に跪いた作業員が、水平に吊り下げられた連結しようとする吊り足場パネルを引き寄せるときに、作業員の重心がその吊りチェーンの外側に来てしまうので、作業員がバランスを崩して、転落する危険性がある。また、作業員は設置済みの吊り足場パネルの連結部の側面から突出した連結具の先端に、連結しようとする吊り足場パネルの連結部の側面に設けられた連結受け具の孔を外挿する必要があるが、孔の位置合わせが難しく、連結具の先端と連結受部の孔が少しでもずれると連結できない。さらに、連結受部の孔の位置が作業員から遠いので、狙いを定めにくいという問題がある。
【００１５】
次に、特許文献２に記載の吊り足場パネルは、吊り足場パネルの連結作業の際、作業員が設置済みの吊り足場パネルの上に立って、連結しようとする吊り足場パネルを連結する作業をすることができるので、作業員がバランスを崩す危険性は減少する。しかしながら、設置済みの吊り足場パネルの連結部の係合軸に、連結しようとする連結部のフックを係合し、連結板で切り欠き部を塞ぐという、手間のかかる作業が必要となる。
【００１６】
本発明は、以上の課題を解決するためになされたもので、安全かつ容易に吊り足場パネルを連結・撤去することができる吊り足場パネルを提供することを目的とする。
【課題を解決するための手段】
【００１７】
本発明者らは、吊り足場パネルの連結作業を安全かつ容易にするべく、検討を重ねた。その結果、次に示す(a)〜(h)の知見を得た。
【００１８】
(a) 引用文献２に記載された吊り足場パネルは、その連結作業の際、作業員が設置済みの吊り足場パネルの上に立って、連結しようとする吊り足場パネルを連結する作業をすることができるので、作業員の安全の観点から好ましい。
【００１９】
(b) この設置済みの吊り足場パネルの連結部に、連結しようとする吊り足場パネルの連結部を連結する作業は、吊り足場パネルを次の様に構成することで、格段に手間を省くことができる。すなわち、吊り足場パネル同士を連結する部位となる２つの連結部とこれとは直角をなす２つの側部からなる矩形の枠組を形成し、吊り足場パネルの一方の連結部に管状又は棒状の預け金具を設け、かつ、他方の連結部に、抜け止め金具を備えた爪形状の受け金具を連結部とは直角に設けるのがよい。さらに、吊り足場パネルの２つの側部の受け金具側の端部に、チェーン取り付け用の吊り部材をそれぞれ設けるのがよい。この吊り部材はプレート形状を有するのが好ましい。このチェーン取り付け用の吊り部材の孔は、吊り足場パネルを橋桁の橋梁部から吊り下げておくための吊りチェーンと、吊り足場パネルからなる仮設足場の構築時に設置済みの吊り足場パネルの隣に新たな吊り足場用パネルを設置するために使用する設置チェーンを取り付けることができる。したがって、吊り部材には、チェーン取り付け孔として、吊りチェーン用の孔と設置チェーン用の孔の２個を設けるのが好ましい。２個の孔は別個に設けてもよいし、２個の孔の間に切り欠きを設けてもよい。
【００２０】
(c) 吊り足場パネルの上面には、作業又は歩行するための床材を張るが、床材は滑りにくいように、チェッカープレートやエキスパンド等を使用するのが好ましい。そして、吊り足場パネルは矩形であればよく、連結部と側部のサイズの大小は問わない。連結部が２．０〜４．０ｍ程度、側部が０．６〜０．９ｍ程度のものが好ましい。移動性と操作性からは、連結部が３．０ｍ程度、側部が０．６ｍ程度のものがより好ましい。
【００２１】
(d) 吊り足場パネルの預け金具は、吊り足場パネルの一方の連結部に設けられる。円管状又は丸棒状の金属材料を用いるのが好ましい。預け金具は、設置済みの吊り足場パネルの受け金具に受容されることができ、かつ、受容後にこの預け金具の軸周りに吊り足場パネルを回転させることができるように、預け金具は吊り足場パネルに対して動かないように固定する。吊り足場パネルの預け金具と受け金具の間の長さの調節のために、預け金具を吊り足場パネルの長さ方向にスライドできる構造としてもよい。
【００２２】
(e) 吊り足場パネルの受け金具は爪形状を有しており、吊り足場パネルの他方の連結部の両端部に設けられ、抜け止め金具を備えている。受け金具は、上方に開口を備える受け入れ部及び上方に庇を備える留め置き部を有し、開口から受け入れ部に受け入れた預け金具を留め置き部の庇の下に水平移動させた後に抜け止め金具を掛けることができることが好ましい。そのためには、抜け止め金具は突起部を有していて、留め置き部の庇の先端近傍に設置されており、庇の先端近傍を回転軸として突起部を垂直方向に回動させることができ、かつ突起部が下方にあるときに突起部を固定することができ、もって抜け止め金具を掛けることができるのがより好ましい。受け入れ部に受け入れた預け金具を留め置き部の庇の下に水平移動させることによって抜け止め金具を垂直方向に回動させ、そして、抜け止め金具の突起部が下方に来たときに突起部を手動で固定するか、バネを仕込み、その付勢力を用いて固定することによって、抜け止め金具を掛けることができるのが、さらに好ましい。抜け止め金具を外すためには、突起部を手動で上方に回動させればよい。吊り足場パネルは、橋桁に合わせて、カーブして設置する場合があるので、個々の吊り足場パネルの設置角度を調節できるのが好ましい。そのために、受け金具のそれぞれを別個に吊り足場パネルの連結方向にスライドできる構造とすることで受け金具の位置調整するのがよい。たとえば、受け金具の取り付け管を吊り足場パネルの連結部に対して直角に設け、この取り付け管をスライド可能な二重管とすればよい。取り付け管のスライドは吊り足場パネルを設置する前に行うことができるが、吊り足場パネルを設置後にも行うことができるのが好ましい。そのためには、吊り足場パネルの上から取り付け管のスライドができるように、吊り足場パネルの床材に開口部を設けて、この開口部を通して受け金具位置調整ボルトを操作すればよい。
【００２３】
(f) 吊り足場パネルを橋桁に合わせてカーブして設置する場合には、設置済みの吊り足場パネルが対峙する連結部の間には、隙間が形成される場合がある。隙間が大きいと吊り足場パネルからなる仮設足場上で使用される部材がその隙間から落下する危険性がある。また、場合によっては、作業員の脚がその隙間にはまり、バランスを崩すことで、足場外に転落する危険性もある。したがって、隙間塞ぎ材を設置して隙間を塞ぐことが好ましい。設置済みの吊り足場パネルの上に隙間塞ぎ材を載置し固定することができる。あるいは、吊り足場パネルの連結部に、蝶番を介して回動可能に、又は、水平方向に引き出し可能に、端部隙間塞ぎ材をパネル床面と面一になるように設けておけば、吊り足場パネルの設置作業をしながら、隙間塞ぎ材を設置することができる。
【００２４】
(g) 吊り足場パネルの側部間の緊結は、対峙する側部間を通常の固定クランプで係り止めすればよい。あるいは、側部にクリップを取り付けておき、そのクリップで対峙する側部間を係り止めしてもよい。この場合、クリップを側部内に収納可能にするのが好ましい。
【００２５】
(h) このような吊り足場パネルからなる仮設足場を構築するには、たとえば、次のように施工すればよい。
【００２６】
最初に、橋脚のすぐ脇に、橋桁の橋梁部に取り付けられた２個のチェーン取り付け金具からそれぞれに吊り下げられた吊りチェーンによって、１枚目の吊り足場パネルを水平に設置する。そして、２枚目の吊り足場パネルを、この設置済みの１枚目の吊り足場パネルの床面の上に、預け金具を下にして垂直に載置する。
【００２７】
橋脚から２個目のチェーン取り付け金具には、さらに２枚目の吊り足場パネル設置チェーンの一端を取り付け、そして、設置済みの１枚目の吊り足場パネル上に預け金具の側を下にして垂直に載置した２枚目の吊り足場パネルのチェーン取り付け孔には、吊り足場パネル設置チェーンの他端を取り付ける。その後、預け金具の側を下にしたまま、２枚目の吊り足場パネルを１枚目の吊り足場パネルの爪形状の受け金具上に受容し、預け金具の抜け止めをする。
【００２８】
２枚目の吊り足場パネルのチェーン取り付け孔に取り付けた設置チェーンを徐々に伸ばすことによって、上記受け金具上に垂直に載置した２枚目の吊り足場パネルの預け金具を回転軸として、２枚目の吊り足場パネルを水平レベルまで回転させる。そして、設置チェーンを張って、２枚目の吊り足場パネルを水平レベルで固定させることで、２枚目の吊り足場パネルが水平に設置される。
【００２９】
２枚目の吊り足場パネル吊りチェーンの一端を、上記２個目のチェーン取り付け金具に吊り下げ、そして、他端を２枚目の吊り足場パネルのチェーン取り付け孔に取り付ける。その後、２枚目の吊り足場パネルの水平レベルを保ったまま、設置チェーンを外す。
【００３０】
上記水平レベルに固定されている、設置済みの２枚目の吊り足場パネルの爪形状の受け金具に、３枚目の吊り足場パネルを垂直に載置するとともに、３枚目の吊り足場パネル設置チェーンの一端を橋脚から３個目のチェーン取り付け金具に取り付け、そして他端を２枚目の吊り足場パネルのチェーン取り付け孔に取り付ける。
【００３１】
３枚目の吊り足場パネルの吊りチェーンの一端を、橋脚から４個目のチェーン取り付け金具に吊り下げ、そして、他端を３枚目の吊り足場パネルのチェーン取り付け孔に取り付ける。その後、３枚目の吊り足場パネルの水平レベルを保ったまま、設置チェーンを外す。
【００３２】
以下、同様にして、４枚目以降の吊り足場パネルを連結して設置していく。
【００３３】
本発明は、上記の知見に基づきなされたもので、その要旨は下記(1)〜(5)の吊り足場パネルにある。以下、総称して、本発明という。
【００３４】
(1) 水平方向に連結していく矩形の吊り足場パネルであって、吊り足場パネル同士を連結する部位となる対面する２つの連結部の一方に棒状又は管状の預け金具を設け、かつ、他方の連結部の両端部には、抜け止め金具を備えた爪形状の受け金具を直角に設け、さらに連結部と直角をなす２つの側部の受け金具側の端部にチェーン取り付け用吊り部材を設けてなることを特徴とする吊り足場パネル。
【００３５】
(2) 受け金具は上記預け金具を受容することができるものであって、上方に開口を備える受け入れ部及び上方に庇を備える留め置き部を有し、開口から受け入れ部に受け入れた預け金具を留め置き部の庇の下に水平移動させた後に抜け止め金具を掛けることができることを特徴とする、上記(1)の吊り足場パネル。
【００３６】
(3) 抜け止め金具は突起部を有していて、留め置き部の庇の先端近傍に設置されており、庇の先端近傍を回転軸として突起部を垂直方向に回動させることができ、かつ突起部が下方にあることによって突起部を固定することができることを特徴とする、上記(2)の吊り足場パネル。
【００３７】
(4) 受け入れ部に受け入れた預け金具を留め置き部の庇の下に水平移動させることによって抜け止め金具を垂直方向に回動させ、そして、抜け止め金具の突起部が下方に来たときに突起部を固定することができることを特徴とする、上記(3)の吊り足場パネル。
【００３８】
(5) 受け金具が長さ方向にスライド可能であることを特徴とする、上記(1)〜(4)のいずれかの吊り足場パネル。
【発明の効果】
【００３９】
本発明は、安全かつ容易に吊り足場パネルを連結・撤去することができる吊り足場パネルを提供することができる。
【図面の簡単な説明】
【００４０】
【図１】パネル方式の仮設足場の模式図（従来例）である。(a)が橋桁の軸直角方向の断面図であり、(b)がそのＡ−Ａ矢視の平面図である。
【図２】本発明に係る吊り足場パネルの一例である。
【図３】本発明に係る吊り足場パネルの預け金具及び受け金具の一例である。
【図４】受け金具への預け金具の受容の手順(a)〜(e)を示す。
【図５】本発明に係る吊り足場パネルの吊り部材の一例を示す。
【図６】本発明に係る吊り足場パネルの吊り部材の他の例（正面図）である。
【図７】吊り足場パネルからなる仮設足場を構築するための施工方法の一例（その１）である。
【図８】吊り足場パネルからなる仮設足場を構築するための施工方法の一例（その２）である。
【図９】吊り足場パネルからなる仮設足場を構築するための施工方法の一例（その３）である。
【図１０】吊り足場パネルからなる仮設足場を構築するための施工方法の一例（その４）である。
【図１１】吊り足場パネルからなる仮設足場を構築するための施工方法の一例（その５）である。
【図１２】吊り足場パネルからなる仮設足場を構築するための施工方法の一例（その６）である。
【図１３】吊り足場パネルの設置角度の調節の手順(a)〜(c)を示す平面図である。
【発明を実施するための形態】
【００４１】
以下、図面を用いて、本発明に係る吊り足場パネルを説明する。なお、本発明は以下の実施例に限定されるものではない。
【００４２】
図２に、本発明に係る吊り足場パネルの一例を示す。(a)が平面図、(b)が正面図である。
【００４３】
この吊り足場パネル６は、連結部６ｂ、６ｂ’と側部６ａ、６ａ’からなる矩形の枠組の上に、チェッカープレートからなる床材８を張ったものである。吊り足場パネル６の一方（左側）の連結部６ｂに管状の預け金具４１を設け、かつ、他方（右側）の連結部６ｂ’には、抜け止め金具４３を備えた爪形状の受け金具４２が連結部６ｂ’とは直角に２個設けられている。さらに、吊り足場パネルの側部６ａ、６ａ’の右側端部には、それぞれ、２個のチェーン取り付け孔４５ａ，４５ｂを備えた、プレート形状の吊り部材４４が設けられている。このチェーン取り付け孔は、吊り足場パネルからなる仮設足場の構築時に橋桁から吊り足場パネル６を吊り下げるための吊りチェーンと、設置済みの吊り足場パネルの隣に新たな吊り足場用パネルを連続して設置するための設置チェーンを取り付けるためである。したがって、ここでは吊り部材４４には、吊りチェーン用の孔４５ａと設置チェーン用の孔４５ｂの２個が設けられている。ここでは、２個の孔の間には切り欠きがあるが、２個の孔は別個に設けてもよい。
【００４４】
図３は、本発明に係る吊り足場パネルの預け金具及び受け金具の一例である。(a)は預け金具（左図）及び受け金具（右図）の一部拡大平面図である。(b)及び(b’)は、(a)のＡ−Ａ矢視断面図（正面図）を示す。(c)は(b’)のＢ部拡大図を示す。
【００４５】
吊り足場パネルの受け金具４２は、吊り足場パネルの右側の連結部６ｂ’の両端近傍に受け金具取り付け管５１を介して連結部６ｂ’に対して直角に取り付けられている。受け金具取り付け管５１は二重管であって、連結方向にスライドすることができる。ここでは、二重管を適宜長さにスライドさせたのち、受け金具位置調整ボルト５０を締めることでその長さを固定することができる。したがって、受け金具位置調整ボルト５０を操作することで、吊り足場パネルの連結方向に受け金具４２の位置をそれぞれ別個に調整することができる。ここでは、吊り足場パネルの床材８は、受け金具４２の近傍に開口部８ａが穿たれており、この開口部８ａを通して受け金具位置調整ボルト５０を操作することができるので、設置済みの吊り足場パネルの床面の上からでも取り付け管のスライドができる。この開口部８ａから受け金具位置調整ボルト５０を操作することができる。
【００４６】
受け金具４２は平板の爪形状であり、上方に開口４２ｃを備える受け入れ部４２ａ及び上方に庇４２ｄを備える留め置き部４２ｂを有し、連結すべき吊り足場パネルの預け金具４１を、設置済みの吊り足場パネルの受け金具４２に受容することができる。留め置き部４２ｂの庇４２ｄの先端近傍には、抜け止め金具４３が設置されており、突起部４３ａを有している。抜け止め金具４３は庇４２ｄの先端近傍を回転軸として突起部４３ａを垂直方向に回動させることができ、抜け止め金具４３を庇４２ｄの上に固定することができる。抜け止め金具４３は垂直方向に回動させた状態では、留め置き部４２ｂに突出しない形状となっており、受容の際には、この預け金具４１を開口４２ｃから受け入れ部４２ａに受け入れ、庇４２ｄの下の留め置き部４２ｂに水平移動させた後に、抜け止め金具４３を掛ける。ここでは、預け金具４１を水平移動させると抜け止め金具４３の突起部４３ａに預け金具４１が接触するので、預け金具４１の動きに伴って抜け止め金具４３が垂直方向に回動する。預け金具４１を留め置き部４２ｂまで移動させた後、抜け止め金具４３を逆回転させて、抜け止め金具４３を庇４２ｄの上に固定すると抜け止め金具４３が掛かる。このとき、抜け止め金具４３の突起部４３ａが預け金具４１の右側に存在するので、預け金具４１は留め置き部４２ｂに留め置かれることとなる。
【００４７】
図４に、受け金具への預け金具の受容の手順(a)〜(e)を示す。
【００４８】
設置済みの吊り足場パネルの受け金具４２に、連結すべき吊り足場パネルの預け金具４１を受容する際の手順は、次の(a)〜(e)に示すとおりである。
【００４９】
(a) 連結すべき足場パネルの預け金具４１を、設置済みの足場パネルの受け金具４２の開口４２ｃから受け入れ部４２ａに受け入れる。
【００５０】
(b) 受け金具４２の受け入れ部４２ａに受け入れた預け金具４１を左方に水平移動させる。
【００５１】
(c) さらに預け金具４１を左方に水平移動させると、預け金具４１が抜け止め金具４３の突起部４３ａに触れる。このとき、抜け止め金具４３が庇４２ｄの先端近傍を回転軸として垂直方向に回転させ、抜け止め金具４３が留め置き部４２ｂに突出させないようにする。
【００５２】
(d) さらに、預け金具４１を左方に水平移動させて、預け金具４１を庇４２ｄの下の留め置き部４２ｂで留め置く。
【００５３】
(e) 抜け止め金具４３を手動で逆回転させて、抜け止め金具４３を庇４２ｄの上に固定させる。抜け止め金具４３の突起部４３ａが預け金具４１の右側に存在するので、預け金具４１は留め置き部４２ｂに留め置かれる。
【００５４】
図５は、本発明に係る吊り足場パネルの吊り部材の一例である。(a)は吊り足場パネルの平面図、(b)は正面図をそれぞれ示す。
【００５５】
吊り足場パネルの吊り部材４４は、吊り足場パネルの側部材６ａ、６ａ’の受け金具４２の側の端部近傍に溶接により接合されている。プレート形状を有しており、チェーン取り付け孔が２個穿たれている。それぞれ、吊り足場パネルを橋桁の橋梁部から吊り下げておくための吊りチェーン用の孔４５ａと、吊り足場構築時に設置済みの吊り足場パネルの隣に、新たな吊り足場用パネルを連結して設置するために使用する設置チェーン用の孔４５ｂである。設置チェーンは吊り足場パネルの設置完了後は、設置チェーン用孔から外され、回収される。なお、ここでは、独立して２個の孔が穿たれているが２個の孔の間に切り欠きを設けてもよいし、２個の孔を合わせて１個の長孔又は大きな孔としてもよい。あるいは、さらに、１個以上の孔を追加してもよい。
【００５６】
図６は、本発明に係る吊り足場パネルの吊り部材の他の例（正面図）である。
【００５７】
吊り足場パネルの吊り部材は、その孔の数や穿つ位置によって種々ある。(a)と(b)は、吊りチェーン用孔４５ａと設置チェーン用孔４５ｂの間に切り欠きを設けたものであり、(c)は吊りチェーン用と設置チェーン用を兼ねるチェーン取り付け孔４５として１個の長孔としたものである。
【００５８】
本発明に係る吊り足場パネルからなる仮設足場を構築する施工方法の一例を、図７〜１２により、順を追って説明する。図面はいずれも橋桁の軸直角方向から見た正面図である。
【００５９】
図７に示すように、最初に、橋脚１０のすぐ脇に、橋桁の橋梁部３に取り付けられた、手前の２個のチェーン取り付け金具６７、６７’と奥の２個のチェーン取り付け金具（図示せず）からそれぞれに吊り下げられた手前の吊りチェーン６８、６８’と奥の吊りチェーン（図示せず）によって、１枚目の吊り足場パネル６を水平に設置する。ここでは、吊り足場パネル６の２つの連結部のうち、預け金具側を橋脚側（左側）に、そして、受け金具４２の側を橋脚とは反対側（右側）にして設置される。吊りチェーン６８の下端は預け金具に取り付けられ、そして、吊りチェーン６８’の下端は吊り足場パネル６の側部の吊り部材４４に取り付けられている。
【００６０】
次に、２枚目の吊り足場パネル６’を、この設置済みの１枚目の吊り足場パネル６の床面の上に、預け金具を下にして垂直に載置する。そして、図８に示すように、橋脚の２個目の手前のチェーン取り付け金具６７’と奥のチェーン取り付け金具（図示せず）には、さらに、吊り足場パネル設置チェーン６４の一端が取り付けられ、次いで、上記の設置済みの１枚目の吊り足場パネル６の床面の上に、預け金具の側を下にして垂直に載置した２枚目の吊り足場パネル６’のチェーン取り付け孔４４’には、吊り足場パネル設置チェーン６４の他端が取り付けられる。この作業は、命綱２２をつけた作業員２１により１枚目の吊り足場パネル６の上でなされる。その後、預け金具の側を下にしたまま、２枚目の吊り足場パネル６’の預け金具を上記１枚目の爪形状の受け金具４２の上に受容し、預け金具の抜け止めがなされる。
【００６１】
次いで、図９に示すように、２枚目の吊り足場パネル６’を水平レベルまで回転させ、手前と奥の２個の吊り足場パネル設置チェーン６４を張って、２枚目の吊り足場パネル６’を水平レベルで固定させることで、２枚目の吊り足場パネル６’を水平に設置する。この結果、２枚目の吊り足場パネル６’に作業員が安定して載れる状態となる。
【００６２】
次に、図１０に示すように、橋桁の橋梁部３に取り付けられた、橋脚から３個目の手前のチェーン取り付け金具６７”と奥の３個目のチェーン取り付け金具（図示せず）からそれぞれに吊り下げられた手前の吊りチェーン６８”と奥の吊りチェーン（図示せず）の下端を、２枚目の吊り足場パネル６’のチェーン取り付け孔４４’に取り付ける。その後、２枚目の吊り足場パネル６’の水平レベルを保ったまま、設置チェーン６４を外す。
【００６３】
次いで、３枚目の吊り足場パネルを６”を、この設置済みの２枚目の吊り足場パネル６’の床面の上に、預け金具を下にして垂直に載置する。そして、図１１に示すように、手前の２個目のチェーン取り付け金具６７”と奥のチェーン取り付け金具（図示せず）には、さらに、吊り足場パネル設置チェーン６４の一端が取り付けられ、次いで、上記の設置済みの２枚目の吊り足場パネル６’の床面の上に、預け金具の側を下にして垂直に載置した３枚目の吊り足場パネル６”のチェーン取り付け孔４４”には、吊り足場パネル設置チェーン６４の他端が取り付けられる。この作業は、命綱２２をつけた作業員２１により２枚目の吊り足場パネル６’の上でなされる。その後、預け金具の側を下にしたまま、３枚目の吊り足場パネル６”の預け金具を上記２枚目の爪形状の受け金具４２’の上に受容し、預け金具の抜け止めがなされる。
【００６４】
次に、図１２に示すように、３枚目の吊り足場パネル６”を水平レベルまで回転させ、手前と奥の２個の吊り足場パネル設置チェーン６４を張って、３枚目の吊り足場パネル６”を水平レベルで固定させることで、３枚目の吊り足場パネル６”を水平に設置する。この結果、３枚目の吊り足場パネル６”に作業員が安定して載れる状態となる。
【００６５】
以下、同様にして、４枚目以降の吊り足場パネルを連結して設置していく。
【００６６】
図１３は、吊り足場パネルを橋桁に合わせてカーブして設置する場合の吊り足場パネルの設置角度の調節の手順(a)〜(c)を示す平面図である。
【００６７】
右側の吊り足場パネル６’を設置する際に、その預け金具は、設置済みの左側の吊り足場パネル６の２つの受け金具に受容されている。図２に示したとおり、受け金具は、それぞれ、連結方向にスライド可能な受け金具取り付け管５１を介して取り付けられており、それぞれ、受け金具位置調整ボルト５０、５０’によって長さを調整することができるが、当初はいずれの受け金具取り付け管５１も最短の長さに固定されている。
【００６８】
(a) 奥側にある受け金具位置調整ボルト５０は締め付けたままにするが、手前側の受け金具位置調整ボルト５０’は緩める。
【００６９】
(b) 次いで、この手前側の受け金具位置調整ボルト５０’を操作することで、右側の２枚目の吊り足場パネル６の手前側だけを右方向に迫り出すことができる。その後、手前側の受け金具位置調整ボルト５０’を締めることで、右側の吊り足場パネル６’の設置角度を奥側にずらして固定することができる。この設置角度は、左側の吊り足場パネル６の受け金具位置調整ボルト５０’により調整することができる。
【００７０】
(c) そして、左側の吊り足場パネル６と右側の吊り足場パネル６’の間に発生した隙間の上に隙間塞ぎ材２３を載置し固定する。
【産業上の利用可能性】
【００７１】
本発明によれば、安全かつ容易に吊り足場パネルを連結・撤去することができる。
【符号の説明】
【００７２】
１  吊り足場パネルからなる仮設足場
２  橋桁
３  橋梁部
３ａ  橋梁部のフランジ
４  チェーンクランプ
５  チェーン
６、６’  吊り足場パネル
６ａ、６ａ’  側部
６ｂ、６ｂ’  連結部
７  チェーン位置
８  床材
８ａ  床材の開口部
１０  橋脚
２１  作業員
２２  命綱
２３  隙間塞ぎ材
４１  預け金具
４２  受け金具
４２ａ  受け入れ部
４２ｂ  留め置き部
４２ｃ  開口
４２ｄ  庇
４３  抜け止め金具
４３ａ  突起部
４４  吊り部材
４５  チェーン取り付け孔
４５ａ、４５ａ’  吊りチェーン取り付け孔
４５ｂ  設置チェーン取り付け孔
５０  受け金具位置調整ボルト
５１  受け金具取り付け管（二重管）
６４  吊り足場パネル設置チェーン
６７  チェーン取り付け金具
６８  吊りチェーン
【図１】
2018204333.tif 000003
【図２】
2018204333.tif 000004
【図３】
2018204333.tif 000005
【図４】
2018204333.tif 000006
【図５】
2018204333.tif 000007
【図６】
2018204333.tif 000008
【図７】
2018204333.tif 000009
【図８】
2018204333.tif 000010
【図９】
2018204333.tif 000011
【図１０】
2018204333.tif 000012
【図１１】
2018204333.tif 000013
【図１２】
2018204333.tif 000014
【図１３】
2018204333.tif 000015